(57)【要約】【課題】  使用者毎に異なる身体的特徴に対して個々に高度に合致する背板形状を、簡単な操作で容易に且つ略固定的に実現することが可能であって、使用者や体形の変化に際しても背板形状を対応して速やかに変更することが出来る、従来にない新規な構造の椅子用背板構造体を提供すること。【解決手段】  背部フレーム１６の高さ方向で位置調節可能に剛性の支持基材５２を設けて、該支持基材５２に対して可撓性の背板プレート６４を支持せしめ、該背板プレート６４の長手方向両端縁部を支持基材に連結して支持せしめると共に、背板プレート６４の長手方向に及ぼされる張力を調節できるようにし、更に、背板プレート６４の長手方向中間部分の複数箇所において、該背板プレート６４を支持基材に対して引き締めて背板プレート６４を変形状態に保持せしめる牽引手段８０を設けてなる椅子用背板構造体を採用した。【選択図】  図２
2005279115.tif 000002
【特許請求の範囲】
【請求項１】
座部フレームから上方に延びるように突設された背部フレームに対して装着されることにより背もたれ面を形成する椅子用背板構造体であって、
前記背部フレームの高さ方向で異なる複数箇所にそれぞれ取り付けられて左右方向に延び出す、相互に分割構造とされた複数の剛性の支持基材と、
かかる複数の支持基材をそれぞれ前記背部フレームに対して位置調節可能に連結して位置決め固定し得る固定手段と、
前記各支持基材の前方に離隔位置せしめられて、帯板形状をもって所定幅で左右方向に延びるように配設された複数の可撓性の背板プレートと、
該各背板プレートの長手方向両端縁部を、前記各支持基材に連結して支持せしめると共に、該背板プレートの長手方向の少なくとも一方の端縁部において該背板プレートの該支持基材に対する連結位置を左右方向で調節可能として該背板プレートの長手方向に及ぼされる張力を調節できるようにした連結手段と、
該各背板プレートの長手方向中間部分の複数箇所において、該背板プレートを前記支持基材に対して引き締めて該背板プレートを変形状態に保持せしめる牽引手段と
を、有することを特徴とする椅子用背板構造体。
【請求項２】
前記固定手段によって、前記支持基材が前記背部フレームに対して高さ方向と左右方向および前後方向の何れにも位置調節可能とされている請求項１に記載の椅子用背板構造体。
【請求項３】
前記連結手段によって、前記背板プレートの長手方向端縁部における前記支持基材に対する仰角が調節可能とされている請求項１又は２に記載の椅子用背板構造体。
【請求項４】
前記連結手段により、前記背板プレートの長手方向両端縁部においてそれぞれ独立して互いに異なる仰角を設定可能とされている請求項３に記載の椅子用背板構造体。
【請求項５】
前記連結手段が、前記背板プレートの上部と下部において、該背板プレートの前記支持基材に対する連結位置を互いに独立して調節可能とされており、該背板プレートの長手方向に及ぼされる張力を該背板プレートの幅方向の両側端縁部で互いに異ならせて調節できるようにされている請求項１乃至４の何れかに記載の椅子用背板構造体。
【請求項６】
前記牽引手段が、前記背板プレートの幅方向の両端縁部近くにそれぞれ設けられている請求項１乃至５の何れかに記載の椅子用背板構造体。
【請求項７】
前記背板プレートが、弾性変形可能であるが実質的に伸縮しない合成樹脂材で形成されている請求項１乃至６の何れかに記載の椅子用背板構造体。
【請求項８】
座部フレームから上方に延びるように突設された背部フレームを備えており、該背部フレームに対して請求項１乃至７の何れかに記載の椅子用背板構造体を少なくとも３つ装着して、それら椅子用背板構造体における前記背板プレートによって協働して背もたれの基板面を形成したことを特徴とする椅子。
【発明の詳細な説明】
【技術分野】
【０００１】
本発明は、使用者の身体的特徴に対して高度に対応した椅子を実現するための椅子の寸法調整及び身体適合調整に関連する技術であり、特に、座位保持椅子や車イスなどにおける背もたれにおいて、各種の姿勢や体躯的特徴を持つ人に対して高度な身体適合調整の機能を実現せしめ得る、新規な背板構造体と、それを用いた新規な椅子に関するものである。
【背景技術】
【０００２】
従来から、人の臀部を支持する座部と、人の上半身を保持する背部とを備えた背もたれ付きの椅子が、広く使用されている。このような椅子では、着座した人の身体的特徴に応じて好ましい着座姿勢をサポートし得るように、特に背もたれ面の形状を対応付けることが望ましい。例えば一般の作業用椅子や安楽椅子でもそうであるが、特に、高齢者や障害者等で本人の座姿勢維持機能に問題があるために一般的な椅子では正常な座位が取り難い人にとっては、背もたれ面が身体的特徴に合致していることが重要な要件となる。
【０００３】
このような要求に対応するために、従来では、椅子の背部フレームに設けられる背板の表面にウレタンフォーム等のクッション材を多用したり、クッション材の形状を適当に変更することなどで対応していたが、ウレタンフォームでは柔らか過ぎたり、個別に異なる身体的特徴に対応した成形が面倒であったりする問題があった。特に、障害者では、骨格が左右や前後に湾曲するだけでなく、捩れていることも多く、多様な要求に対する対応が困難だったのである。
【０００４】
そこで、このような問題に対処するために、特表平１０−５０２８３６号公報（特許文献１）には、湾曲し易いテープ状の帯を高さ方向に複数本配設して、各帯の両端部を枠体形状の背部フレームで支持せしめると共に、各帯の長手方向の引張力を調節する機構を設けた椅子が提案されている。また、特表平８−５０２１８７号公報（特許文献２）や特表平９−５０７０３４号公報（特許文献３），特表２０００−５１７２２０号公報（特許文献４）には、上下二本の展張ワイヤによって単一の凹凸状シートの上下端縁部を支持せしめて、それら二本の展張ワイヤの張力を調節することによって、かかる凹凸状シートの湾曲量と共に仰角や俯瞰角度を調節可能とした椅子が提案されている。
【０００５】
しかしながら、これら特許文献１〜４の何れに記載された椅子の背板構造であっても、小さな張力で左右に緩く張り渡したテープ状の帯で背板を構成しただけのものであって、もたれ掛かる使用者の体圧を利用して受動的に帯が変形することを利用して、使用者の体に添って変形するようにしただけに過ぎない。また、特許文献２〜４に記載されている仰角や俯瞰角度を調節する機構においても、結局は、もたれ掛かる使用者の体圧を利用して受動的に帯を使用者の体に添って変形させるようにしただけに過ぎない。
【０００６】
従って、これら特許文献１〜４に記載の背板構造では、使用者の個々の状態に応じて、それに高度に対応した形状を備えた背板を実現することが出来ず、使用者の座姿勢を積極的に支持せしめてサポートすることが、極めて困難であった。即ち、特許文献１〜４に記載の背板構造では、使用者が動けば、それに応じて、背板を構成する帯も変形してしまうのであり、それ故、使用者が座姿勢を維持できないで倒れてしまうような場合にも、倒れることを防止するようにサポートすることができず、倒れる使用者の体形変化に応じて背板形状が変形して行くに過ぎない。
【０００７】
これでは、使用者毎に異なる身体的特徴に対して個々に合致して、座姿勢に対して有効なサポート機能を発揮し得る椅子は、到底、実現できなかったのであり、そのような椅子を、安価に且つ効率的に提供することが、社会において切望されていたのである。
【０００８】
【特許文献１】特表平１０−５０２８３６号公報
【特許文献２】特表平８−５０２１８７号公報
【特許文献３】特表平９−５０７０３４号公報
【特許文献４】特表２０００−５１７２２０号公報
【発明の開示】
【発明が解決しようとする課題】
【０００９】
ここにおいて、本発明は、上述の如き事情を背景として為されたものであって、その解決課題とするところは、使用者毎に異なる身体的特徴に対して個々に高度に合致する背板形状を、簡単な操作で容易に且つ略固定的に実現することが可能であって、使用者や体形の変化に際しても背板形状を対応して速やかに変更することが出来る、従来にない新規な構造の椅子用背板構造体を提供することにある。
【００１０】
また、本発明は、そのような椅子用背板構造体を採用することにより、健常者だけでなく高齢者や障害者等にも利用され得て、本人の座姿勢維持機能を適格にサポートすることの出来る、新規な構造の椅子を提供することも、目的とする。
【課題を解決するための手段】
【００１１】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【００１２】
（椅子用背板構造体に関する本発明）
椅子用背板構造体に関する本発明の特徴とするところは、（ａ）座部フレームから上方に延びるように突設された背部フレームに対して装着されることにより背もたれ面を形成する椅子用背板構造体であって、（ｂ）前記背部フレームの高さ方向で異なる複数箇所にそれぞれ取り付けられて左右方向に延び出す、相互に分割構造とされた複数の剛性の支持基材と、（ｃ）かかる複数の支持基材をそれぞれ前記背部フレームに対して位置調節可能に連結して位置決め固定し得る固定手段と、（ｄ）前記各支持基材の前方に離隔位置せしめられて、帯板形状をもって所定幅で左右方向に延びるように配設された複数の可撓性の背板プレートと、（ｅ）該各背板プレートの長手方向両端縁部を、前記各支持基材に連結して支持せしめると共に、該背板プレートの長手方向の少なくとも一方の端縁部において該背板プレートの該支持基材に対する連結位置を左右方向で調節可能として該背板プレートの長手方向に及ぼされる張力を調節できるようにした連結手段と、（ｆ）該各背板プレートの長手方向中間部分の複数箇所において、該背板プレートを前記支持基材に対して引き締めて該背板プレートを変形状態に保持せしめる牽引手段とを、有する椅子用背板構造体にある。
【００１３】
このような本発明に従う構造とされた椅子用背板構造体においては、連結手段で背板プレートに及ぼされる張力を連結手段で調節設定することにより、背板プレートの全体としての湾曲の程度を適宜に設定することが出来るだけでなく、牽引手段で背板プレートの中間部分を支持基材に対して固定的に設定することにより、背板プレートの全体形状を所定の変形状態に設定すると共に、その変形状態に保持せしめることが可能となる。
【００１４】
従って、このような背板構造体によれば、使用者の個々の状態に応じて、それに高度に対応した形状を略固定的に備えた背板を実現することが出来るのであり、使用者の座姿勢を積極的に支持せしめてサポートすることが、可能となるのである。
【００１５】
（椅子に関する本発明）
また、椅子に関する本発明の特徴とするところは、座部フレームから上方に延びるように突設された背部フレームを備えており、該背部フレームに対して、上述の如き本発明に従う構造とされた椅子用背板構造体を少なくとも３つ装着して、それら椅子用背板構造体における前記背板プレートによって協働して背もたれの基板面を形成した椅子にある。
【００１６】
このような本発明に従う構造とされた椅子においては、上述の如き本発明に従う構造とされた特定構造の椅子用背板構造体を利用したことにより、使用者毎に異なる身体的特徴に対して個々に合致して、座姿勢に対して有効なサポート機能を発揮し得る椅子が、有利に実現可能となる。なかでも特筆すべきは、本発明に従う椅子にあっては、多種多様な体型に対応して多種多様な背板形状が必要とされる場合であっても、共通した構造の椅子を提供することにより、各使用者に応じて、更には同一使用者でも経時的な体形変化にも応じて、背板の形状を容易に且つ精度良く対応して変更調節することが出来るという点である。
【００１７】
（本発明において採用される好適な態様例）
本発明においては、以下の各構成が、任意に且つ好適に採用され得る。
【００１８】
すなわち、本発明においては、例えば、前記固定手段によって、前記支持基材が前記背部フレームに対して高さ方向と左右方向および前後方向の何れにも位置調節可能とされている構成が、好適に採用される。このような構成を採用することにより、使用者の身長の大小や前後左右の体形の歪の程度などに対して、一層高精度に対応することが可能となり、より高度なサポート機能が実現可能となる。
【００１９】
また、本発明においては、例えば、前記連結手段によって、前記背板プレートの長手方向端縁部における前記支持基材に対する仰角や俯瞰角度が調節可能とされている構成が、好適に採用される。このような構成を採用することにより、使用者の体形の前後方向への歪の程度に対して、特に高精度に対応することが可能となり、より高度なサポート機能が実現可能となる。
【００２０】
更にまた、本発明においては、例えば、前記連結手段により、前記背板プレートの長手方向両端縁部においてそれぞれ独立して互いに異なる仰角や俯瞰角度を設定可能とされている構成が、好適に採用される。このような構成を採用することにより、使用者の体形の左右両側での複雑な捩れの程度の違いなどにも高精度に対応することが可能となり、より高度なサポート機能が実現可能となる。
【００２１】
さらに、本発明においては、例えば、前記連結手段が、前記背板プレートの上部と下部において、該背板プレートの前記支持基材に対する連結位置を互いに独立して調節可能とされており、該背板プレートの長手方向に及ぼされる張力を該背板プレートの幅方向の両側端縁部で互いに異ならせて調節できるようにされている構成が、好適に採用される。このような構成を採用することにより、背板プレートの幅方向（上下方向）の両側部分における全体としての湾曲の程度を異ならせて設定することが可能となり、それによって背板プレートの上側部分と下側部分で互いに異なる背板面形状を設定することが出来、使用者の体形に対して一層高精度に対応することが可能となって、より高度なサポート機能を実現できる。
【００２２】
また、本発明においては、例えば、前記牽引手段が、前記背板プレートの幅方向の両端縁部近くにそれぞれ設けられている構成が、好適に採用される。このような構成を採用することにより、背板プレートの上側部分と下側部分で互いに異なる背板面形状を設定することが出来、使用者の体形に対して一層高精度に対応することが可能となる。
【００２３】
更にまた、本発明においては、例えば、前記背板プレートが、弾性変形可能であるが実質的に伸縮しない合成樹脂材で形成されている構成が、好適に採用される。このような構成を採用することにより、背板プレートに対して、使用者に応じた目的とする形状を、より高精度に設定し、設定形状からの変形を抑えることが出来るのであり、それによって、使用者に対して一層高度な座姿勢へのサポート機能が実現可能となる。
【発明の効果】
【００２４】
上述の説明から明らかなように、本発明に従う椅子用背板構造体を採用することにより、使用者の個々の状態に応じて、それに高度に対応した形状を略固定的に備えた背板を実現することが出来るのであり、使用者の座姿勢を積極的に支持せしめてサポートすることが、可能となる。特に、高さ方向で複数に分割配置した背板プレートを相互に独立して調節設定することにより、全体として、使用者の上半身の背面の複雑な形状にも高精度に対応することが出来る。
【００２５】
加えて、本発明に従う構造とされた椅子用背板構造体およびそれを採用した椅子においては、その背板面の形状を広い範囲で固定的に設計することが可能であると共に、設定した形状を速やかに且つ容易に変更設定することも可能とされる。それ故、多種多様な体型の使用者や、体形が変化する使用者にも、単一の又は少ない品種のものを提供すれば足り、汎用性に優れていることから、良好な製作性やコスト性も実現可能となる。
【発明を実施するための最良の形態】
【００２６】
以下、本発明を更に具体的に明らかにするために、本発明の実施形態について、図面を参照しつつ、詳細に説明する。
【００２７】
先ず、図１には、本発明に従う構造とされた背板構造体１０を備えた椅子としての車椅子１２が示されている。本実施形態の車椅子１２は、座部フレーム１４等で形成される座部や背部フレーム１６等で形成される背部を含んで構成されている。なお、以下の説明において、上下方向および前後方向とは、原則として、車椅子１２における上下方向および前後方向を言い、図１における上下方向および左右方向をいうものとする。また、車椅子１２の左右方向は、着座した人の左右方向となる背部フレーム１６の左右方向をいう。
【００２８】
より詳細には、座部フレーム１４は、金属等の剛性材により形成されており、全体として矩形フレーム乃至は梯子形フレーム構造とされている。また、座部フレーム１４の上には、略平面視正方形とされる座部クッション１８が載置されて固着されることにより、座部フレーム１４を略全体に亘って覆うようにして配設されて、座面を形成するようになっている。そして、この座部クッション１８によって、着座者の臀部および大腿部が下方より支持されるようになっている。なお、座部フレーム１４の前端縁部には、前方斜め下方に延びるステップフレーム２０が装着されており、このステップフレーム２０の下端部に対して、着座者の足底を支持するステップ２２が装着されている。
【００２９】
また一方、背部フレーム１６は、金属等の剛性材により形成されており、左右一対の縦ロッド２４，２４（図２参照）を含んで全体として矩形フレーム乃至は梯子形フレーム構造とされている。更に、この背部フレーム１６には、複数（本実施形態では３個）の背板構造体１０が、高さ方向（上下方向）で相互に所定距離を隔てて装着されている。そして、これら３個の背板構造体１０によって形成された背板面２６，２６，２６に対して、略平面視長方形とされる一つの背部クッションが、図面上には示されていないが、それら背板面２６，２６，２６を全体に亘って覆うようにして被せられて装着されることにより、着座者の腰部から肩部にかけての胴体部分を背後より支持するようになっている。
【００３０】
各背板構造体１０は、図２〜４に示されているように、背部フレーム１６の縦ロッド２４，２４に対して上下方向にスライド変位可能に取り付けられるベース部材３０を有している。このベース部材３０は、縦ロッド２４，２４をゴムシート等の滑り止め部材３２，３２を介して前後方向から挟み込む前後プレート３４，３４を有している。これら前後プレート３４，３４は、スペーサ３６，３６を介して、締付ボルト３８，３８で重ね合わせ方向に締め付けられることにより、縦ロッド２４，２４に対して前後プレート３４，３４が圧接されて位置固定されるようになっている。また、締付ボルト３８，３８を緩めることにより、前後プレート３４，３４を縦ロッド２４に沿って上下方向にスライド移動させて位置調節することが出来るようになっている。
【００３１】
また、ベース部材３０を構成する前後プレート３４，３４の各中央部分には、ロッド挿通孔が形成されており、このロッド挿通孔に対して支持主軸４２が挿通されている。なお、支持主軸４２は、ストレートなパイプ金具によって構成されており、前後プレート３４，３４に固着された合成樹脂材等からなる摺動ガイドリング４４，４４で案内されて軸方向で突出量を変更調節することが出来るようになっている。また、後部プレート３４には、螺子式の締付固定具４６が設けられており、この締付固定具４６の締付ハンドル４７を操作することで、支持主軸４２を軸方向に摺動可能として軸方向の突出量を調節可能な状態としたり、或いは、支持主軸４２を軸方向で固定して軸方向の突出量を固定的に設定した状態とすることが出来るようになっている。
【００３２】
さらに、支持主軸４２の前方への突出先端部には、上下方向に延びる支持ブッシュ４８が溶接等で固着されている。そして、この支持ブッシュ４８に対して、支持基材としての金属プレート５２が、取り付けられている。金属プレート５２は、金属製の剛性材によって形成されており、本実施形態では、上下方向に所定幅をもって左右方向に帯板状に広がっていると共に、この金属プレート５２の左右両側端縁部には、前方に向かって屈曲して延び出す左右一対の支持片５４，５４が一体形成されている。
【００３３】
また、金属プレート５２の背面には、後方に向かって突出する上下一対の取付片５６，５６が一体形成されている。これら上下一対の取付片５６，５６には、略左右方向に延びるスリット状のスライド孔６０，６０が形成されている。そして、これら上下一対の取付片５６，５６間に支持ブッシュ４８が嵌め入れられて、上下取付片５６，５６のスライド孔６０，６０と支持ブッシュ４８の中心孔に対して、締付ボルト６２が挿通されている。
【００３４】
この締付ボルト６２によって、金属プレート５２が、支持ブッシュ４８に対して離脱不能に連結されている。また、締付ボルト６２を緩めることによって、支持ブッシュ４８に挿通された締付ボルト６２が、上下一対の取付板５６，５６のスライド孔６０，６０に沿って移動せしめられることが許容されて、かかる操作により、金属プレート５２を、支持ブッシュ４８に対して左右方向に全体的にスライド変位させて位置調節することが出来るようになっている。一方、締付ボルト６２を締め付けることにより、金属プレート５２が支持ブッシュ４８に対して固定的に連結されて、位置固定に連結されるようになっている。
【００３５】
なお、このことから明らかなように、本実施形態では、背部フレーム１６に対して移動可能に固定されるベース部材３０や、該ベース部材３０に対して前後方向に突出変位可能に固定される支持主軸４２や、該支持主軸４２に対して左右方向にスライド変位可能に固定される金属プレート５２の各連結構造によって、支持基材たる金属プレート５２を背部フレーム１６に対して位置調節可能に連結して位置決め固定し得る固定手段が構成されている。
【００３６】
さらに、図２〜９に示されているように、金属プレート５２の前方に離隔位置して、背板プレート６４が配設されている。この背板プレート６４は、大きな引張強度を持ち、実質的に伸縮変形しないが、湾曲変形は比較的に容易に許容され得る板材であって、好ましくは湾曲変形後に外力を除けば速やかに原形に復し得る程度の弾性を備えたものが採用される。具体的には、適当な合成樹脂材料で形成されたものが望ましい。
【００３７】
かかる背板プレート６４は、全体として薄肉の平板形状とされており、金属プレート５２と略同じか僅かに大きな上下方向の幅寸法を有していると共に、金属プレート５２と略同じか僅かに小さな左右方向の長さ寸法を有している。また、背板プレート６４の長手方向両端縁部には、補強用の連結金具６６，６６が前後に跨がるようにして表面に重ね合わされて積層固着されている。各連結金具６６の背面には、上下方向の両端縁部近くに位置して、後方に向かって突出する駆動ブロック６８，６８が固着されている。各駆動ブロック６８には、左右方向に貫通するねじ穴が設けられている。
【００３８】
さらに、各連結金具６６には、コ字形断面で上下方向に延びるチャンネル金具７４が、背面に重ね合わされている。これらのチャンネル金具７４，７４は、前記金属プレート５２の長手方向両端縁部に設けられた支持片５４，５４に対して、外側壁部において重ね合わされて、略中央部分において連結ボルト５８，５８で連結固定されている。
【００３９】
ここにおいて、支持片５４，５４の先端面が、連結ボルト５８側に中心点をもつ略円弧形状とされており、連結ボルト５８を緩めることによって、チャンネル金具７４の支持片５４に対する取付方向を、連結ボルト５８の中心軸を中心として上下に揺動変位させて調節することが出来るようになっている。また、連結ボルト５８を締め付けることによって、チャンネル金具７４の取付位置を、固定的に設定保持せしめることができるようになっている。
【００４０】
また、かかるチャンネル金具７４には、上下の両端縁部近くにおいて左右方向に延びるスリット孔７０，７０が形成されている。そして、これらのスリット孔７０，７０を通じて、連結金具６６に固設された駆動ブロック６８，６８が後面に突出して位置せしめられており、各駆動ブロック６８が、スリット孔７０内で長手方向（左右方向）にスライド変位可能とされている。
【００４１】
また、チャンネル金具７４には、両側壁部間に跨がって延びる調節ねじ７２，７２が、上下両端縁部近くに装着されている。そして、これら調節ねじ７２，７２が、それぞれ、軸方向中間部分において、連結金具６６に固着された駆動ブロック６８，６８のねじ穴に対して螺着されている。
【００４２】
これにより、調節ねじ７２，７２を回転操作することによって、背板プレート６４の長手方向の端縁部を支持位置を、上部と下部において、それぞれ、チャンネル金具７４に対する左右方向で位置調節することが出来、しかも、その位置に固定的に位置決め保持せしめることが出来るようになっている。
【００４３】
すなわち、背板プレート６４は、その長手方向両端縁部において、チャンネル金具７４を介して、金属プレート５２に対して連結されて、略上下左右方向に広がる状態で支持せしめられている。そして、上下に所定距離を隔てて配設された３つの背板構造体１０，１０，１０の背板プレート６４，６４，６４の前面によって、協働して、背板面２６を形成するようになっている。
【００４４】
ここにおいて、各背板プレート６４は、上部と下部にそれぞれ設けられた調節ねじ７２，７２を各別に操作することにより、長手方向の支持位置を変更して、張力を調節設定することが出来るようになっている。即ち、本実施形態では、かかる連結支持機構によって、連結手段が構成されている。
【００４５】
また、連結ボルト５８，５８を各別に操作することにより、左右のチャンネル金具７４の仰角や俯瞰角度を任意に調節設定して、背板プレート６４の左右両側部分の仰角や俯瞰角度を独立的に設定することが出来るようになっている。
【００４６】
それに加えて、各背板プレート６４には、上端縁部近くと下端縁部近くのそれぞれにおいて、長手方向の中央部分と左右両側部分にそれぞれベルト掛止部７６，７６，７６が設けられている。更に、背板プレート６４の後方に所定距離を隔てて対向配置された各金属プレート５２にも、上下両端縁部近くの各ベルト係止部７６，７６，７６に対応する位置において、ベルト係止孔７８，７８，７８が形成されている。そして、各対応する背板プレート６４の計６つのベルト係止部７６と金属プレート５２のベルト係止孔７８に跨がって、それぞれ、牽引ベルト８０が装着されている。
【００４７】
この牽引ベルト８０は、ベルクロテープ乃至はマジックテープ（商標名）によって有利に構成されるものであり、長さを任意に調節設定することが出来るようになっている。
【００４８】
そして、これら複数本の牽引ベルト８０で背板プレート６４の複数部位を金属プレート５２で引き締めることにより、背板プレート６４に与えられた張力によって許容された湾曲量の範囲内で、各部位において互いに異なる曲率半径をもった複雑且つ任意設定できる形状が付与されるようになっているのである。なお、図面上では、全体として長手方向に略一定曲率半径の湾曲形状を与えたものが示されているが、長手方向で３つの牽引ベルト８０の長さを互いに異ならせることによって、例えば一番右端の牽引ベルト８０の長さを、一番左端の牽引ベルト８０の長さよりも短く設定すること等によって、背板プレート６４の曲率半径を部分的に異ならせることが出来ることは、容易に理解されるところである。
【００４９】
しかも、本実施形態では、上下の両端縁部において、それぞれ、牽引ベルト８０が独立して配設されていることから、背板プレート６４の幅方向（上下方向）でも任意の傾斜を持たせることが出来るのであり、前述の如き連結ボルト５８回りの回動に基づく全体としての仰角や俯瞰角度の調節機構に加えて、かかる牽引ベルト８０を利用しても、背板プレート６４の各部位における仰角や俯瞰角度を適当に調節設定することが可能となっている。
【００５０】
従って、上述の如き構造とされた背板構造体１０を備えた車椅子１２においては、身体背面との脊柱の縦方向のＳ字屈曲や円背の人など個人の形状がなす身体のプロフィールにそった調整が可能であるだけでなく、各分割面の仰角や俯瞰角度の調整や三次元的な身体のねじれなどへの対応が可能となる。しかも、背板プレート６４の形状が金属プレート５２と牽引ベルト８０によって固定的に且つ任意の湾曲形状や仰角乃至は俯瞰角度をもって形状設定されることから、前述の特許文献１〜４に開示されている如き従来構造の椅子のように使用者（着座者）の体圧を利用した受動的な形状設定とは異なり、積極的に固定的な形状を設定することが可能である。
【００５１】
それ故、使用者の個々に体形などに対応した背板面の形状を高い精度をもって容易に形成することができ、その固定的な面形状によって、使用者の座姿勢を効果的にサポートすることが出来るのである。
【００５２】
また、本実施形態では、背板プレート６４の前面に対してウレタンフォームや各種クッション材などで形成された背部クッション（図示せず）を被せて装着可能とされていることから、３つの背板プレート６４の相互の形状などの相違があった場合にも、それを和らげて全体に柔らかな感触を与えることができる。
【００５３】
以上、説明した機構により身体に接する背もたれ面の空間位置を調節する以下の機能を備えるものとなっている。先ず、背もたれ面での奥行き、仰下角度、左右方向での全体的な位置、座面からの高さ、ねじれ形状、軟質な背もたれ面の左右４箇所からの張力調整による水平方向での曲率、牽引ベルトによる部分的な曲率などの調整が可能であり、特に軟質合成樹脂板で形成した背板プレート６４の形状を多様に変更して固定的に設定することで、多種多様なサポート面を実現することができるのである。その特徴を改めて以下に示す。
（１）５自由度をもつ支持面位置調整機構の一つで背もたれ面の奥行きの変更
（２）５自由度をもつ支持面位置調整機構の一つで背もたれ面の矢状面に対する角度
（３）５自由度をもつ支持面位置調整機構の一つで背もたれ面の椅子本体に対する左右移動量
（４）５自由度をもつ支持面位置調整機構の一つでユニット（背板構造体１０）の座面からの高さ
（５）５自由度をもつ支持面位置調整機構の一つでユニット（背板構造体１０）に形成された背もたれ面の仰角度
（６）ユニットに形成された背もたれ面の水平断面の曲率半径の値を支持面を左右方向の長さ調整を行うことによってなす機構
（７）ユニットに形成された背もたれ面の水平断面の曲率の左右での変化を後方に簡便に牽引することにより変化させて行う機構
【００５４】
すなわち、本実施形態では、７つの調整機構が全て若しくは一部あわさって背面の身体適合調整を高度に実現する機構となっている。
【００５５】
以上、本発明の一実施形態について詳述してきたが、これはあくまでも一実施形態であって、本発明は、かかる実施形態における具体的な記載によって、何等、限定的に解釈されるものでない。
【００５６】
例えば、本発明では身体に沿って背板プレートによる支持面を自由に設定することができ，縦方向の傾斜量調整の他３次元的なねじれを調整することも可能であるが、その設定方法の一つとしての牽引ベルトであるマジックテープなどの布ベルト式調整方法によるものの他、ねじ機構などによる機械式ベルト張力調整機構などを採用することも可能である。
【００５７】
また、前記実施形態では、車椅子に適用したものの具体例を示したが、その他、安楽椅子や作業用椅子、自動車用椅子、座椅子など、各種の椅子に対して本発明を適用することができる。
【００５８】
その他、一々列挙はしないが、種々なる変更，修正，改良などを加えた態様において実施することが可能であり、また、そのような態様が、本発明の趣旨を逸脱しない限り、何れも、本発明の範囲内に含まれるものであることは、言うまでもない。
【図面の簡単な説明】
【００５９】
【図１】本発明の一実施形態としての車椅子の側面を示す使用状態の説明図である。
【図２】図１に示された車椅子における背板構造体を示す斜視図である。
【図３】図２に示された背板構造体の平面説明図である。
【図４】図２に示された背板構造体の側面説明図である。
【図５】図２に示された背板構造体の後面説明図である。
【図６】図５に示された背板構造体の一部を切り欠いて示す側面説明図である。
【図７】図５に示された背板構造体の端部構造を示す正面説明図である。
【図８】図７における平面説明図である。
【図９】図７におけるIX−IX断面に相当する背板プレートの断面説明図である。
【符号の説明】
【００６０】
１０  背板構造体
１２  車椅子
１４  座部フレーム
１６  背部フレーム
２４  縦ロッド
２６  背板面
３０  ベース部材
３８  締付ボルト
４２  支持主軸
４６  締付固定具
５２  金属プレート
５８  連結ボルト
６２  締付ボルト
６４  背板プレート
６６  連結金具
７２  調節ねじ
７４  チャンネル金具
８０  牽引ベルト
【図１】
2005279115.tif 000003
【図２】
2005279115.tif 000004
【図３】
2005279115.tif 000005
【図４】
2005279115.tif 000006
【図５】
2005279115.tif 000007
【図６】
2005279115.tif 000008
【図７】
2005279115.tif 000009
【図８】
2005279115.tif 000010
【図９】
2005279115.tif 000011